(57)【要約】【課題】出力画像の品質の低下を抑制できる画像読取装置を提供する。【解決手段】画像読取装置は、傾き角度検出部８１ａと、回転補正処理部８２と、決定部８３ａとを備える。傾き角度検出部８１ａは、読取部が読み取った画像の傾き角度を検出する。回転補正処理部８２は、傾き角度検出部８１ａによって検出された傾き角度に応じて、読取部が読み取った画像に対応する画像データに回転補正処理を実行する。決定部８３ａは、傾き角度検出部８１ａによって検出された傾き角度に基づいて、回転補正処理の許可／不許可を決定する。【選択図】図３
2016192678.tif 000002
【特許請求の範囲】
【請求項１】
原稿の画像を読み取る読取部と、
前記読取部が読み取った前記画像の傾き角度を検出する傾き角度検出部と、
前記傾き角度検出部によって検出された前記傾き角度に応じて、前記画像に対応する画像データに回転補正処理を実行する回転補正処理部と、
前記傾き角度検出部によって検出された前記傾き角度に基づいて、前記回転補正処理の許可／不許可を決定する決定部と
を備える、画像読取装置。
【請求項２】
前記決定部は、前記傾き角度検出部によって検出された前記傾き角度と閾値との比較結果に応じて、前記回転補正処理の許可／不許可を決定する、請求項１に記載の画像読取装置。
【請求項３】
前記傾き角度検出部は、前記読取部が読み取った前記画像の端の傾き角度を検出する、請求項１又は請求項２に記載の画像読取装置。
【請求項４】
前記傾き角度検出部は、前記画像の端のうち、少なくとも２つの端の傾き角度を検出し、
前記決定部は、前記傾き角度検出部によって検出された前記傾き角度の比較結果と、前記傾き角度検出部によって検出された前記傾き角度と閾値との比較結果とに応じて、前記回転補正処理の許可／不許可を決定する、請求項３に記載の画像読取装置。
【請求項５】
表示部と、
前記傾き角度検出部によって検出された傾き角度に基づいて、警告情報を前記表示部に表示させる警告処理部と
を更に備える、請求項１〜請求項４のいずれか１項に記載の画像読取装置。
【請求項６】
前記読取部が前記原稿の画像を読み取る際に、前記原稿の画像よりも大きい読取範囲が設定される、請求項１〜請求項５のいずれか１項に記載の画像読取装置。
【請求項７】
前記原稿を搬送する原稿搬送装置を更に備え、
前記読取部は、前記原稿搬送装置によって搬送される前記原稿の画像を読み取る、請求項１〜請求項６のいずれか１項に記載の画像読取装置。
【請求項８】
原稿の画像を読み取るステップと、
前記画像の傾き角度を検出するステップと、
前記傾き角度に基づいて、回転補正処理の許可／不許可を決定するステップと、
前記回転補正処理が許可された場合に、前記傾き角度に応じて、前記画像に対応する画像データに回転補正処理を実行するステップと
を包含する画像読取方法。
【発明の詳細な説明】
【技術分野】
【０００１】
本発明は、画像読取装置、及び画像読取方法に関する。
【背景技術】
【０００２】
スキャナーのような画像読取装置が知られている。また、原稿搬送装置を備えたスキャナー（画像読取装置）が知られている。原稿搬送装置は、原稿読取領域を通過するように原稿を自動搬送する。原稿搬送装置によって原稿が傾いた状態で搬送されると、原稿の画像が傾いた状態で読み取られる。このため、スキャナー（画像読取装置）は、一般的に、読み取った画像の画像データから、画像の傾き角度を検出して、画像データに対しスキュー補正や斜め補正等と称される回転補正処理（画像処理）を実行する（例えば、特許文献１参照）。
【０００３】
回転補正処理は、具体的には記憶領域上で画像（画像データ）を回転させる処理である。回転補正処理には、典型的には最近傍補間法又は双一次補間法を用いた回転処理が採用される。
【先行技術文献】
【特許文献】
【０００４】
【特許文献１】特開平１０−３３６４２５号公報
【発明の概要】
【発明が解決しようとする課題】
【０００５】
しかしながら、最近傍補間法や双一次補間法を用いた回転処理が実行されると、画像の端部（特に、四隅）のデータが、回転処理前と回転処理後とで変化することがある。このため、ディスプレーに表示（出力）される画像や、記録媒体に印刷（出力）される画像のような出力画像の品質が低下することがある。
【０００６】
本発明は、上記問題に鑑み、出力画像の品質の低下を抑制することができる画像読取装置、及び画像読取方法を提供することを目的とする。
【課題を解決するための手段】
【０００７】
本発明の一局面は、読取部と、傾き角度検出部と、回転補正処理部と、決定部とを備えた画像読取装置である。前記読取部は、原稿の画像を読み取る。前記傾き角度検出部は、前記読取部が読み取った前記画像の傾き角度を検出する。前記回転補正処理部は、前記傾き角度検出部によって検出された前記傾き角度に応じて、前記画像に対応する画像データに回転補正処理を実行する。前記決定部は、前記傾き角度検出部によって検出された前記傾き角度に基づいて、前記回転補正処理の許可／不許可を決定する。
【発明の効果】
【０００８】
本発明によれば、出力画像の品質の低下を抑制することができる。
【図面の簡単な説明】
【０００９】
【図１】本発明の実施形態に係るスキャナーの外観を示す斜視図である。
【図２】本発明の実施形態に係るスキャナーの構成を示す図である。
【図３】本発明の第１実施形態〜第３実施形態に係るスキャナーが備える制御部の構成を示す図である。
【図４】本発明の実施形態に係る原稿画像領域を示す図である。
【図５】本発明の第１実施形態に係る回転補正処理のフローを示す図である。
【図６】本発明の実施形態に係る原稿画像領域を示す図である。
【図７】本発明の実施形態に係る原稿画像領域を示す図である。
【図８】本発明の第２実施形態に係る回転補正処理のフローを示す図である。
【図９】本発明の実施形態に係る原稿画像領域を示す図である。
【図１０】本発明の第４実施形態に係るスキャナーが備える制御部の構成を示す図である。
【発明を実施するための形態】
【００１０】
［第１実施形態］
図１に示すように、スキャナー１（画像読取装置の一例）は、本体部２と、本体部２に対して開閉自在の原稿搬送装置３と、操作表示部４と、主コンタクトガラス５と、副コンタクトガラス６とを備える。操作表示部４は、操作部４１と表示部４２とを有する。操作部４１は、例えば複数種類の押しボタン（キー）を含む。表示部４２は、例えば液晶ディスプレーを含む。
【００１１】
図２に示すように、原稿搬送装置３は、給紙トレイ３１と、排紙トレイ３２とを備える。原稿搬送装置３は、給紙トレイ３１にセットされた原稿を、排紙トレイ３２まで搬送する。この搬送過程で、原稿は、原稿読取領域Ｒを通過する。原稿読取領域Ｒは、副コンタクトガラス６（図１参照）が設けられた領域である。
【００１２】
スキャナー１は、読取部７を備える。読取部７は、原稿の画像を読み取る。またスキャナー１は、制御部８を備える。制御部８は、ＣＰＵ又はＭＰＵのような演算処理装置を有するコンピューターである。制御部８は、スキャナー１の動作を制御する。また、制御部８は、読取部７によって読み取られた画像の画像データに対し各種の画像処理（補正処理を含む）を実行する。
【００１３】
読取部７は、光源ユニット７１、２枚のミラー７２、７３、集光レンズ７４、及び電荷結合素子のような撮像素子を含む撮像装置７５を有する。また、光源ユニット７１は、ＬＥＤ光源７１１と、ミラー７１２とを有する。ＬＥＤ光源７１１は、主走査方向（図２の紙面における奥行き方向）に沿って配列された多数の白色ＬＥＤを備える。発光させる白色ＬＥＤを選択することにより、主走査方向における画像読取範囲を調整することができる。また、ＬＥＤ光源７１１（白色ＬＥＤ）の発光時間を制御することにより、主走査方向に直交する副走査方向Ｓにおける画像読取範囲を調整することができる。第１実施形態では、画像読取範囲は、原稿サイズよりも大きく設定される。但し、主走査方向については、ＬＥＤ光源７１１の主走査方向の幅を限度に、原稿サイズよりも大きく設定される。
【００１４】
原稿搬送装置３によって搬送される原稿の画像を読取部７が読み取る場合、ＬＥＤ光源７１１は、副コンタクトガラス６を介して、搬送中の原稿に光を照射する。原稿から反射した光は、３枚のミラー７１２、７２、７３、及び集光レンズ７４を介して撮像装置７５に入射する。撮像装置７５は、入射した光の受光量に応じた電気信号を制御部８に入力する。制御部８は、撮像装置７５の出力に基づいて、画像データを生成する。撮像装置７５から出力される電気信号は、画像データを構成する各画素の濃度値又は輝度値に対応する。
【００１５】
図３に示すように、制御部８は、記憶部８４を有する。記憶部８４は、ＲＯＭ、ＲＡＭ、及びＥＥＰＲＯＭ等を含み得る。制御部８は、読取部７によって読み取られた画像の画像データを記憶部８４に記憶させる。制御部８は、画像データに対して各種の画像処理を行う度に、記憶部８４から画像データを読み出し、画像処理後の画像データを記憶部８４に記憶させる。
【００１６】
また第１実施形態において、制御部８は、記憶部８４に記憶されているプログラムを実行することにより、傾き角度検出部８１ａ、回転補正処理部８２、及び決定部８３ａとして機能する。
【００１７】
傾き角度検出部８１ａは、読取部７によって読み取られた画像の傾き角度を検出する。回転補正処理部８２は、傾き角度検出部８１ａによって検出された傾き角度に応じて、画像データに対する回転補正処理を実行する。回転補正処理には、最近傍補間法又は双一次補間法のような一般な回転処理技術を用いることができる。
【００１８】
決定部８３ａは、傾き角度検出部８１ａによって検出された傾き角度に基づいて、回転補正処理の許可／不許可を決定する。第１実施形態では、決定部８３ａは、傾き角度検出部８１ａによって検出された傾き角度と閾値とを比較する。そして、決定部８３ａは、傾き角度と閾値との比較結果に応じて、回転補正処理の許可／不許可を決定する。具体的には、決定部８３ａは、傾き角度が閾値以上であるか否かに応じて、回転補正処理の許可／不許可を決定する。
【００１９】
図４に示すように、原稿画像領域５１が、Ｘ方向、及びＸ方向に直交するＹ方向に対して傾くことがある。原稿画像領域５１は、読取部７によって読み取られた画像の画像データを記憶する領域である。Ｘ方向は、主走査方向又は副走査方向に対応している。Ｙ方向は、副走査方向又は主走査方向に対応している。例えば、原稿搬送装置３によって原稿が傾いた状態で搬送されると、その傾きに応じて原稿画像領域５１がＸ方向及びＹ方向に対して傾く。
【００２０】
傾き角度検出部８１ａは、読取部７によって読み取られた画像の端の傾き角度を検出する。詳しくは、傾き角度検出部８１ａは、原稿画像領域５１の端の傾き角度を検出する。例えば、傾き角度検出部８１ａは、原稿画像領域５１の前端ｅ１の傾き角度θ１を検出する。原稿画像領域５１の前端ｅ１の傾き角度θ１を検出する際に、傾き角度検出部８１ａは、原稿画像領域５１の前端ｅ１を構成する各画素から選択された複数の画素の記憶領域における座標をそれぞれ検出する。そして、傾き角度検出部８１ａは、検出した座標に基づいて、Ｘ方向に対する前端ｅ１の傾き角度θ１を検出（算出）する。
【００２１】
なお、傾き角度検出部８１ａは、原稿画像領域５１の左端ｅ２又は右端ｅ３のＹ方向に対する傾き角度を検出してもよい。又は、傾き角度検出部８１ａは、原稿画像領域５１の後端ｅ４のＸ方向に対する傾き角度を検出してもよい。
【００２２】
続いて図１〜図５を参照して、第１実施形態における回転補正処理（画像読取方法）について説明する。図５に示す処理は、ユーザーが給紙トレイ３１に原稿をセットした後、操作部４１を操作して画像読取を指示することにより開始する。
【００２３】
ユーザーからの画像読取の指示を制御部８が受け付けると、原稿搬送装置３が原稿を搬送し、読取部７が原稿の画像を読み取る（ステップＳ６０１）。この結果、原稿の画像に対応する画像データが記憶部８４に記憶される。傾き角度検出部８１ａは、記憶部８４に画像データが記憶されると、原稿画像領域５１の特定の端の傾き角度を検出する（ステップＳ６０２ａ）。傾き角度を検出する対象の端は、予め記憶部８４に記憶（設定）されている。
【００２４】
次に、決定部８３ａが、傾き角度検出部８１ａによって検出された傾き角度が閾値以上であるか否かを判定する（ステップＳ６０３）。閾値は予め記憶部８４に記憶（設定）されている。なお、閾値は、ユーザーが操作部４１を操作することにより設定されてもよい。
【００２５】
決定部８３ａは、傾き角度が閾値以上であると判定すると、回転補正処理部８２による回転補正処理の許可を決定する。その結果、回転補正処理部８２が処理対象の画像データに対して回転補正処理を実行して、図５に示す処理が終了する。一方、決定部８３ａは、傾き角度が閾値未満であると判定すると、回転補正処理部８２による回転補正処理の不許可を決定する。この場合、回転補正処理が実行されることなく、図５に示す処理が終了する。
【００２６】
以上説明した第１実施形態によれば、読取部７によって読み取られた画像の傾き角度が閾値以上である場合にのみ、回転補正処理が実行される。換言すると、読取部７によって読み取られた画像の傾き角度が閾値未満である場合には、回転補正処理が実行されない。したがって、回転補正処理の実行を制限することができる。その結果、品質の低い出力画像が生成される頻度が小さくなる。よって、出力画像の品質の低下を抑制することができる。
【００２７】
閾値として記憶部８４に予め記憶させる傾き角度は、ユーザーにおいて画像の傾きが気にならない程度の傾き角度であることが好ましい。例えば、閾値は０．２度である。この場合、０．２度未満の角度で傾いている画像に対し、回転補正処理が実行されないが、０．２度未満の傾きであれば、ユーザーは画像の傾きに気が付かないか、又は、画像の傾きが気にならない。
【００２８】
また第１実施形態によれば、読取部７の画像読取範囲が、原稿サイズよりも大きく設定される。これにより、画像の端（原稿画像領域５１の端）の傾き角度をより確実に検出することができる。
【００２９】
また第１実施形態によれば、画像の端（原稿画像領域５１の端）の傾き角度が検出される。これにより、画像全体（原稿画像領域５１全体）の傾き角度を検出する場合に比べて、制御部８による演算量が少なくなる。
【００３０】
［第２実施形態］
以下、図３、及び図６〜図８を参照して第２実施形態について説明する。但し、第１実施形態と異なる事項を説明し、第１実施形態と同じ事項についての説明は割愛する。
【００３１】
第２実施形態における制御部８は、記憶部８４に記憶されているプログラムを実行することにより、傾き角度検出部８１ｂ、回転補正処理部８２、及び決定部８３ｂとして機能する。
【００３２】
傾き角度検出部８１ｂは、原稿画像領域５１の左端ｅ２及び右端ｅ３（画像の左端及び右端）の傾き角度を検出する。決定部８３ｂは、原稿画像領域５１の左端ｅ２及び右端ｅ３（画像の左端及び右端）の傾き角度θ２及びθ３を比較する。また、決定部８３ｂは、傾き角度θ２と傾き角度θ３との比較結果、及び、傾き角度θ２又は傾き角度θ３と閾値との比較結果に応じて、回転補正処理の許可／不許可を決定する。具体的には、決定部８３ｂは、傾き角度θ２と傾き角度θ３とが一致するか否かを判定する。また、決定部８３ｂは、傾き角度θ２と傾き角度θ３とが一致し、かつ、傾き角度θ２又は傾き角度θ３が閾値以上である場合に、回転補正処理の実行を許可する。換言すると、原稿画像領域５１の左端ｅ２及び右端ｅ３の傾き角度θ２及びθ３が一致しない場合には、回転補正処理は実行されない。
【００３３】
即ち、図６に示すように、原稿の画像の形状が矩形以外の形状である場合、原稿画像領域５１の左端ｅ２及び右端ｅ３の傾き角度θ２及びθ３は一致しない。このような形状を有する画像の画像データに対する回転補正処理は、出力画像の品質の低下を招くおそれがある。一方、図７に示すように、原稿の画像の形状が矩形である場合、原稿画像領域５１の前端ｅ１、左端ｅ２、及び右端ｅ３の傾き角度θ１、θ２、及びθ３は一致するか、又は略一致する。矩形形状を有する画像の画像データに回転補正処理を実行する場合、矩形以外の形状を有する画像の画像データに回転補正処理を実行する場合に比べて、出力画像の品質が低下する可能性が小さい。したがって、原稿画像領域５１の左端ｅ２及び右端ｅ３の傾き角度θ２及びθ３が一致していることを条件に回転補正処理を実行することにより、出力画像の品質の低下を抑制することができる。
【００３４】
続いて図３、及び図６〜図８を参照して、第２実施形態における回転補正処理（画像読取方法）について説明する。図８に示すように、第２実施形態では、読取部７が原稿の画像を読み取ると（ステップＳ６０１）、傾き角度検出部８１ｂは、原稿画像領域５１の左端ｅ２及び右端ｅ３の傾き角度θ２及びθ３を検出する（ステップＳ６０２ｂ）。
【００３５】
次に、決定部８３ｂが、傾き角度θ２と傾き角度θ３とを比較して、傾き角度θ２と傾き角度θ３とが一致するか否かを判定する（ステップＳ７０１）。決定部８３ｂは、傾き角度θ２と傾き角度θ３とが一致すると判定すると、傾き角度θ２又は傾き角度θ３が閾値以上であるか否かを判定する（ステップＳ６０３）。一方、決定部８３ｂは、傾き角度θ２と傾き角度θ３とが一致しないと判定すると、回転補正処理部８２による回転補正処理の不許可を決定する。この場合、回転補正処理が実行されることなく、図８に示す処理が終了する。なお、ステップＳ７０１の処理とステップＳ６０３の処理とは、順序を入れ替えることができる。
【００３６】
以上説明した第２実施形態によれば、原稿画像領域５１の左端ｅ２及び右端ｅ３の傾き角度θ２及びθ３が一致していることを条件に回転補正処理が実行される。これにより出力画像の品質の低下が抑制される。
【００３７】
なお、第２実施形態では、原稿画像領域５１の左端ｅ２及び右端ｅ３（画像の左端及び右端）の傾き角度θ２及びθ３が一致するか否かが判定されたが、傾き角度θ２と傾き角度θ３との差が許容値の範囲内であるか否かが判定されてもよい。具体的には、決定部８３ｂは、傾き角度θ２と傾き角度θ３とを比較して、傾き角度θ２と傾き角度θ３との差を算出し、傾き角度θ２と傾き角度θ３との差が許容値の範囲内であるか否かを判定してもよい。この場合、傾き角度θ２と傾き角度θ３との差が許容値の範囲内であることが、回転補正処理の実行条件の一つとなる。
【００３８】
［第３実施形態］
以下、図３及び図９を参照して、第３実施形態について説明する。但し、第１実施形態及び第２実施形態と異なる事項を説明し、第１実施形態及び第２実施形態と同じ事項についての説明は割愛する。
【００３９】
第３実施形態における制御部８は、記憶部８４に記憶されているプログラムを実行することにより、傾き角度検出部８１ｃ、回転補正処理部８２、及び決定部８３ｃとして機能する。
【００４０】
傾き角度検出部８１ｃは、原稿画像領域５１の前端ｅ１、左端ｅ２、及び右端ｅ３（画像の前端、左端、及び右端）の傾き角度を検出する。決定部８３ｃは、原稿画像領域５１の前端ｅ１、左端ｅ２、及び右端ｅ３（画像の前端、左端、及び右端）の傾き角度θ１、θ２、及びθ３を比較する。また、決定部８３ｃは、傾き角度θ１、θ２、及びθ３の比較結果、及び、傾き角度θ１、θ２、又はθ３と閾値との比較結果に応じて、回転補正処理の許可／不許可を決定する。具体的には、決定部８３ｃは、傾き角度θ１、θ２、及びθ３が一致するか否かを判定する。また、決定部８３ｃは、傾き角度θ１、θ２、及びθ３が一致し、かつ、傾き角度θ１、θ２、又はθ３が閾値以上である場合に、回転補正処理の実行を許可する。換言すると、原稿画像領域５１の前端ｅ１、左端ｅ２、及び右端ｅ３の傾き角度θ１、θ２、及びθ３が一致しない場合には、回転補正処理は実行されない。
【００４１】
即ち、図９に示すように、原稿画像領域５１の左端ｅ２及び右端ｅ３が共にＹ方向に対して傾かない一方で、原稿画像領域５１の前端ｅ１がＸ方向に対して傾く場合がある。このようなケースにおいて回転補正処理が実行されると、出力画像の品質の低下を招くおそれがある。一方、図７を参照して説明したように、原稿画像領域５１の形状が矩形である場合、原稿画像領域５１の前端ｅ１、左端ｅ２、及び右端ｅ３の傾き角度θ１、θ２、及びθ３は一致するか、又は略一致する。したがって、原稿画像領域５１の前端ｅ１、左端ｅ２、及び右端ｅ３の傾き角度θ１、θ２、及びθ３が一致することを条件に回転補正処理を実行することにより、出力画像の品質の低下を抑制することができる。
【００４２】
以上説明した第３実施形態によれば、原稿画像領域５１の前端ｅ１、左端ｅ２、及び右端ｅ３の傾き角度θ１、θ２、及びθ３が一致していることを条件に回転補正処理が実行される。これにより出力画像の品質の低下が抑制される。
【００４３】
なお、第３実施形態では、原稿画像領域５１の前端ｅ１、左端ｅ２、及び右端ｅ３（画像の前端、左端、及び右端）の傾き角度θ１、θ２、及びθ３が一致するか否かが判定されたが、傾き角度θ１、θ２、及びθ３間の差が許容値の範囲内であるか否かが判定されてもよい。例えば、決定部８３ｃは、傾き角度θ１と傾き角度θ２とを比較して、傾き角度θ１と傾き角度θ２との差を算出し、傾き角度θ１と傾き角度θ２との差が許容値の範囲内であるか否かを判定する。また、決定部８３ｃは、傾き角度θ１と傾き角度θ３とを比較して、傾き角度θ１と傾き角度θ３との差を算出し、傾き角度θ１と傾き角度θ３との差が許容値の範囲内であるか否かを判定する。この場合、傾き角度θ１と傾き角度θ２との差、及び、傾き角度θ１と傾き角度θ３との差がいずれも許容値の範囲内であることが、回転補正処理の実行条件の一つとなる。
【００４４】
［第４実施形態］
以下、図１０を参照して第４実施形態について説明する。但し、第１実施形態〜第３実施形態と異なる事項を説明し、第１実施形態〜第３実施形態と同じ事項についての説明は割愛する。
【００４５】
第４実施形態における制御部８は、記憶部８４に記憶されているプログラムを実行することにより、傾き角度検出部８１ｃ、回転補正処理部８２、決定部８３ｃ、及び警告処理部８５として機能する。
【００４６】
警告処理部８５は、傾き角度検出部８１ｃによって検出された傾き角度θ１、θ２、及びθ３に基づいて、警告情報を表示部４２に表示させる。第４実施形態では、警告処理部８５は、傾き角度検出部８１ｃによって検出された傾き角度θ１、θ２、及びθ３に基づいて、原稿画像領域５１の前端ｅ１のみが傾いているか否かを判定する。例えば、警告処理部８５は、傾き角度θ１、θ２、及びθ３が許容値の範囲内であるか否かによって、原稿画像領域５１の前端ｅ１のみが傾いているか否かを判定する。また、警告処理部８５は、原稿画像領域５１の前端ｅ１のみが傾いていると判定した連続回数を計数する。警告処理部８５は、計数値が所定値を超えると、表示部４２に警告情報を表示させる。具体的には、警告処理部８５は、原稿搬送装置３が本体部２に対して傾いた状態で設置されていることを教示する情報を表示部４２に表示させる。
【００４７】
即ち、図９を参照して説明した原稿画像領域５１（画像）のように、左端ｅ２及び右端ｅ３が傾かない一方で、前端ｅ１が傾くケースでは、原稿搬送装置３が本体部２に対して傾いた状態で設置されている可能性がある。このため、このようなケースでは、傾いた画像が常に出力される。これに対し、第４実施形態によれば、原稿搬送装置３が本体部２に対して傾いた状態で設置されていることを教示する情報を表示部４２に表示させることにより、傾いた状態の画像が常に出力される不具合の除去を図ることができる。
【００４８】
なお、第２実施形態〜第４実施形態では、原稿画像領域５１の前端ｅ１（画像の先端）の傾き角度θ１が検出されたが、本発明はこれに限定されない。第２実施形態〜第４実施形態において、傾き角度θ１に替えて、原稿画像領域５１の後端ｅ４（画像の後端）の傾き角度が検出されてもよい。
【００４９】
また、上記実施形態では、本発明をスキャナー１に適用した形態について説明したが、本発明はスキャナーにのみ適用されるものではない。本発明は、例えば複合機（ＭＦＰ）のような画像読取機能を有する画像形成装置を含み得る。
【産業上の利用可能性】
【００５０】
本発明は、画像読取機能を有する電子機器に有用である。
【符号の説明】
【００５１】
１              スキャナー
３              原稿搬送装置
７              読取部
８              制御部
８１ａ〜８１ｃ  傾き角度検出部
８２            回転補正処理部
８３ａ〜８３ｃ  決定部
８４            記憶部
【図１】
2016192678.tif 000003
【図２】
2016192678.tif 000004
【図３】
2016192678.tif 000005
【図４】
2016192678.tif 000006
【図５】
2016192678.tif 000007
【図６】
2016192678.tif 000008
【図７】
2016192678.tif 000009
【図８】
2016192678.tif 000010
【図９】
2016192678.tif 000011
【図１０】
2016192678.tif 000012